(57)【要約】    【課題】  ＩＣタグが容易に回収できるようなＩＣタグ保持用包装材およびＩＣタグを保持したＩＣタグ保持包装材を提供すること。    【解決手段】    本発明にかかるＩＣタグ保持用包装材は、少なくとも側面部（１，２，３，４）と、フラップ部（６，７）と、必要に応じて継ぎしろ部（５）を有する包装材であって、前記部の少なくとも一つの部がＩＣタグ保持用の舌片状部（５ａ，５ｂ）を有するＩＣタグ保持用包装材である。このようにＩＣタグ保持用の舌片状部を有するので、ＩＣタグ（１１）を簡単に保持させ、また舌片状部分とともにＩＣタグを容易に回収できる。【選択図】      図２
2007045442.tif 000002
【特許請求の範囲】
【請求項１】
少なくとも側面部と、フラップ部と、必要に応じて継ぎしろ部を有する包装材であって、前記部の少なくとも一つの部がＩＣタグ保持用の舌片状部を有するＩＣタグ保持用包装材。
【請求項２】
包装材の組み立て時に前記舌片状部に対向する部の少なくとも一部に、該舌片状部の少なくとも一部を収容するための切り欠き部または凹部を形成した請求項１記載のＩＣタグ保持用包装材。
【請求項３】
前記舌片状部と該舌片状部を有する部との境目に易切断加工を施した請求項１または２記載のＩＣタグ保持用包装材。
【請求項４】
ダンボール紙または白板紙を基材として使用する請求項１、２または３記載のＩＣタグ保持用包装材。
【請求項５】
請求項１から４のいずれか一項に記載のＩＣタグ保持用包装材の舌片状部の一部にＩＣタグを保持し、該舌片状部を少なくとも二つ折りにすることにより、その二つ折りした内部にＩＣタグを保持するＩＣタグ保持包装材。
【請求項６】
請求項１から４のいずれか一項に記載のＩＣタグ保持用包装材の舌片状部にＩＣタグを保持し、該舌片状部を全体的に折ることにより、ＩＣタグを保持するＩＣタグ保持包装材。
【請求項７】
前記ＩＣタグに使用する非接触用ＩＣチップの利用周波数が、中波帯、短波帯、ＵＨＦ帯またはマイクロ波帯である請求項５または６に記載のＩＣタグ保持包装材。
【発明の詳細な説明】
【技術分野】
【０００１】
本発明は、情報を少なくとも記録し読み出しができるＩＣチップを利用したＩＣタグを保持するためのＩＣタグ保持用包装材、およびその包装材にＩＣタグを保持したＩＣタグ保持包装材に関するものである。
【背景技術】
【０００２】
これまで、物流管理の主な手法として、一般的には包装材にバーコード印字を施し活用してきた。バーコード方式物流管理システムは価格的にも安価で、これまで広く利用され、物流合理化に大きく寄与してきた。ただ、バーコード印字の読取は、光学的読取方式であるため、読み取り機の取り付け方向に制限があり、読取精度も低いことが多く、読取りできないものは、別途手動での読取り作業が必要であった。
【０００３】
一例として、宅配小荷物の物流管理には、バーコード印字がなされている。ところが、バーコード印字は、一度書き込まれると、物流の最終工程まで、そのバーコード情報のまま、その情報を使用し続けざるを得ず、ホストコンピューターにトレーサビリテイ情報の多くを頼り、ホストコンピューターのメモリー容量は莫大なものになってしまっている。また、一般的にはバーコードの読取率は７０％程度と低く、読取できなかった情報に関しては、読取のやり直しまたは、人力に頼らざるを得ず、大きな時間と人件費の負担となっていた。
【０００４】
これに対し、最近になって、ＩＣチップを利用した所謂ＩＣタグの利用が徐々に増加してきた。その中でも、非接触方式ＩＣタグシステムは、非接触のままで情報のやり取りができ、使い勝手がよく、ここにきて採用が大きく伸びている。非接触方式ＩＣチップを利用したＩＣタグシステムは、読取り可能方向や距離に、使用周波数帯毎にある程度の制限はあるものの、非接触での電気的読取り方式であるため、必ずしも包装材の表面に取り付ける必要もなく、読取りの際の便宜性、確実さは、バーコード方式をはるかに凌ぐものがある。
【０００５】
使用するＩＣチップとしては単に個別識別のための識別情報のみを記憶しており、単に読み出しができる機能を持つＩＣチップを使用する場合もある。このようなＩＣチップは読み取り専用のユニークＩＤ（ＵＩＤ）のみを記憶するものである。また、バーコード利用システムに無かった物流途中段階でのデータ書き込み書き換えも自由にできる高機能のＩＣチップを使用する場合もある。いずれにしてもＩＣタグシステムは今後の物流合理化の切り札と期待されている。
【０００６】
このようなＩＣタグを利用する包装材の中で、厚紙容器の厚紙ジョイント部（重合貼合部）にＩＣタグを取り付けることが特許文献１に開示されている。
【０００７】
【特許文献１】特開２００３−１３７２６７号公報
【発明の開示】
【発明が解決しようとする課題】
【０００８】
ところがこのような厚紙ジョイント部のように厚紙が重なりあった部分にＩＣタグを取り付けると、ＩＣタグの再利用のためにＩＣタグのみを回収する上で不便であり、また厚紙自体を古紙として回収再利用する際にもＩＣタグが異物になり不都合があった。本発明はそのような不便がないようにＩＣタグが容易に回収できるようなＩＣタグ保持用包装材およびＩＣタグを保持したＩＣタグ保持包装材を提供することを目的とする。
【課題を解決するための手段】
【０００９】
本発明にかかるＩＣタグ保持用包装材は、少なくとも、幅面部、長さ面部と称する側面部と、フラップ部と、必要に応じて継ぎしろ部を有する包装材であって、前記部の少なくとも一つの部がＩＣタグ保持用の舌片状部を有するＩＣタグ保持用包装材である。このようにＩＣタグ保持用の舌片状部を有するので、ＩＣタグを簡単に保持させ、また舌片状部分とともにＩＣタグを容易に回収できる。
【００１０】
包装材の組み立て時に前記舌片状部に対向する部の少なくとも一部に、該舌片状部の少なくとも一部を収容するための切り欠き部または凹部を形成することによって、包装材の内部に張り出して存在する舌片状部やその部分に取り付けられるＩＣタグの少なくとも一部を収容するので、舌片上部等の存在が荷物収容の邪魔になることを低減し、また、荷物との接触によってＩＣタグが機械的に破壊される恐れを低減させる。
【００１１】
前記舌片状部と該舌片状部を有する部との境目に易切断加工を施すことにより、舌片状部分とともにＩＣタグを容易に回収できる。
ＩＣタグ保持用包装材は、ダンボール紙または白板紙を基材として使用することが好ましい。
【００１２】
ＩＣタグ保持用包装材の舌片状部の一部にＩＣタグを保持し、該舌片状部を少なくとも二つ折りにすることにより、その二つ折りした内部にＩＣタグを保持することにより、ＩＣタグがより、機械的な破壊に対して強くなる。
ＩＣタグ保持用包装材の舌片状部にＩＣタグを保持し、該舌片状部を全体的に折ることにより、ＩＣタグを舌片状部を有する部と舌片状部との間や舌片状部に隣接する部と舌片状部との間に保持するのでＩＣタグがより、機械的な破壊に対して強くなる。
【００１３】
ＩＣタグに使用するＩＣチップの使用周波数が、中波帯、短波帯、ＵＨＦ帯またはマイクロ波帯であることが好ましい。
【発明の効果】
【００１４】
舌片状部分と一体に包装材から分離して、ＩＣタグが容易に回収できるようになった。
【発明を実施するための最良の形態】
【００１５】
本発明のＩＣタグ保持外装包装材の一例を図について説明する。図１は本発明のＩＣタグ保持用包装材の一例の展開図である。
図に示すように、本発明のＩＣタグ保持用包装材１０は、段ボールを打ち抜き形成した箱形状に組み立てるためのブランクシートにより形成されている。該ブランクシートは、縦折目を介して左右方向に胴部となる４つの側面板１、２、３、４と継ぎしろ板５が連設され、横折目を介して上下方向に天面となる天面外フラップ板６Ｒ，６Ｌ及び天面内フラップ板７Ｒ，７Ｌと、底面となる底面外フラップ板８Ｒ，８Ｌ及び底面内フラップ板９Ｒ，９Ｌが連設されているものである。側面板１から４はその長さに応じてそれぞれ長さ面部、幅面部と呼ばれる。また円筒形等の箱形状も考えてこれらは側面部とも呼ばれる。継ぎしろ板は継ぎしろ部と呼ばれ、フラップ板はフラップ部と呼ばれる。
【００１６】
尚、図２は図１の一部拡大図であり、継ぎしろ板５に長方形状の舌片状部５ａが、あらかじめ打ち抜き形成時に継ぎしろ板５と一体に形成されている。このように打ち抜き時に舌片状部を形成することができるので従来の包装材の製造ラインの基本デザインを全く変更することなく対応できる。
【００１７】
この包装材の組み立て時には継ぎしろ板５と舌片状部５ａとの間の折れ線を示す点線ｎに沿って舌片状部５ａを折ってフラップ板に沿わすことが好ましい。この舌片状部にＩＣタグを取り付ける。取り付け方はもっとも単純な方法として舌片状部のほぼ全域を使用して平板状のＩＣタグ１１を単に粘着テープで貼り付ける。ＩＣタグの取り付け面は舌片状部と舌状部を有する部である継ぎしろ板との間にＩＣタグを挟み、保護するような方向になるように取り付けるほうが好ましい。尚、舌片状部５ａを折ってフラップ部に沿わすような場合は、上述の挟む例とは反対面にＩＣタグ１１を取り付けるとフラップ部と舌片状部との間にＩＣタグが挟まれるのでＩＣタグの保護の上でより好ましい。
この折れ線ｎに沿って、易切断加工として、ミシン目を入れたり、糸等のスレッドを入れることがより好ましい。
【００１８】
このＩＣタグを取り付ける作業工程をどの段階で行うかについては種々考えられる。一つは図１のように展開された状態で取り付けることもできる。また、継ぎしろ板にのりをつけて、対応する側面板１の端部とのりつけ接合し、筒状になった状態で平板状に折った状態で取り付けることもできる。また、一般的にはこの状態で包装材の需要家であるたとえばビール工場等に納入される。従って納入後、商品が包装材に収容される前後に需要家の方でＩＣタグをとりつけることも可能である。
【００１９】
舌片状部の形状は図に示したように四角形状に限らず、端部は滑らかな円、楕円等、曲線等、意匠性も考慮してＩＣタグに合わせて適宜組み合わせた形状を選択できる。また舌片状部は継ぎしろ部以外に、後で述べるようにフラップ部に取り付けたり、その他の部にとりつけることもできる。ＪＩＳＺ１５０７−１９８９には各種ダンボール箱の展開図例が挙げられており、これらの図の端部になる各部に取り付けることが可能である。各部に対する取り付け方向も図示したような直角方向以外にも斜め方向に取り付けることも可能である。
【００２０】
このような包装材は以下のように組み立てられる。縦折目を介して同一方向に角筒状に折り曲げた側面板１、２、３、４のうち、側面板１の端部内面と継ぎしろ板５とが互いに重ね合わせられ重合ジョイント部となる。この重合ジョイント部は、接着剤によって貼着されてジョイントされることにより角筒状の胴部が形成される。
【００２１】
そして、角筒状の胴部の下部に連設した底面外フラップ板８Ｒ，８Ｌ及び底面内フラップ板９Ｒ，９Ｌは、横折目を介して底面内フラップ板９Ｒ，９Ｌ、底面外フラップ板８Ｒ，８Ｌの順序に内方に水平に折り曲げて、底面外フラップ板８と底面内フラップ板の重合ジョイント部の重合内面を貼着するか又は底面外フラップ板８Ｒ，８Ｌの互いの突き合わせ端部の上面を接着テープで貼着することにより底面を形成する。
【００２２】
また、角筒状の胴部の上部に連設した天面外フラップ板６Ｒ，６Ｌ、この板部は蓋板とも呼ばれる、この蓋板と天面内フラップ板７Ｒ，７Ｌは、上記胴部と底面が形成された厚紙容器１０内に内容物を入れた後、横折目を介して側面板１、３に連設した天面内フラップ板７Ｒ，７Ｌ、横折目を介して側面板２、４に連設した天面外フラップ板６Ｒ，６Ｌの順序に天面内フラップ板上面に天面外フラップ板を重ね合わせて内方に水平に折り曲げ、互いの突き合わせ端部の上面を接着テープで貼着するか、金具止めすることにより天面が形成されて厚紙容器１０による包装体が梱包形成される。
上記のような突合せ構造が重ね合わせ構造であっても同様である。
【００２３】
更に、全体図は図１と同じであるが、ＩＣタグの取り付け方の別の一態様の例を図３に示した。図３も図１の一部拡大図である。継ぎしろ板５に長方形状の舌片状部５ｂがあらかじめ打ち抜き形成時に継ぎしろ板５と一体に形成されている。この舌片状部は、舌片状部５ｂの折れ線を示す点線ｍに沿って、点線が隠れる方向（内折り）に二つ折りにでき、舌片状部分５ｂ１と舌片状部分５ｂ２の二つの部分に分けられる。ＩＣタグ１１は図の例では舌片状部分５ｂ１に粘着テープで貼付けられる。この舌片状部分５ｂ１を折れ線ｍに沿って図中手前側に折ってＩＣタグ１１の表面と舌片状部分５ｂ２と貼り合わす。このようにすることでＩＣタグ１１の両面ともに舌片状部分に覆われるようになり、外力等からの保護の上でより好ましい。
【００２４】
また、上述の舌片状部５ａや５ｂはダンボール箱として組み立てた場合には折れ線ｎに沿って継ぎしろ板５に接触するように略１８０度折ってもよいし、また略直角に折って隣接する天面内フラップ板７Ｌに接触するように折ってもよい。ダンボール箱内容物が天面ぎりぎりまでいっぱいにならない場合は、天面内フラップ板７Ｌに接触するような折り方がより好ましい。
【００２５】
また、舌片状部５ｂの場合に折れ線ｍを舌片状部５ｂの中央部よりより端部に近づけて設けることにより、舌片状部分５ｂ１を折れ線ｍに沿って図中手前側に折ってＩＣタグ１１の表面と舌片状部分５ｂ２と貼り合わせた場合に舌片状部分５ｂ２の領域で舌片状部分５ｂ１と重ならない領域が多くなり折り曲げがより容易になる。
【００２６】
また折れ線ｍを図３中のｍに対して直角方向にし、折れ線ｎを折れ線ｍまで一部切断線にすることによって舌片状部を２個の長手の舌片状部分から構成されるようにできる。ＵＨＦ帯用のＩＣタグなどは比較的長尺状になるので、そのようなＩＣタグを取り付ける上で好ましい舌片状部となる。
【００２７】
舌片状部はダンボール箱組み立て後、箱内部の一種の出っ張り部分になるので下記のような加工を施すことにより舌片状部の収容性を良好にすることができる。
以上の例のように舌片状部を折り曲げてフラップ板等と接触させる際に、あらかじめフラップ板等の舌片状部と接触する部分をダンボール箱の打ち抜き工程等の際に押しつぶしておいて、凹部を形成しておくと、その凹部に舌片状部の少なくとも一部が嵌り舌片状部の収容性向上の上でより好ましい。
【００２８】
以上の例のように天面内フラップに舌片状部を接触させるような場合は天面内であるのでフラップの舌片状部と接触する部分をダンボール箱の打ち抜き工程等の際に舌片状部の形状に切り欠き部を打ち抜いておくと、その切り欠き部に舌片状部が嵌り舌片状部の収容性向上の上でより好ましい。
舌片状部の全体や一部を押しつぶしておいて厚みを薄くしておくことも舌片状部の収容性向上の上でより好ましい。
【００２９】
上述した例は継ぎしろ板５に長方形状の舌片状部５ａをあらかじめ打ち抜き形成した例であった。継ぎしろ板５の代わりに天面外フラップ板６Ｒに図４、図５に示したように舌片状部６ａを形成することも可能である。図４は本発明のＩＣタグ保持用包装材の別の一例の展開図である。図５は図４の一部拡大図である。この場合は天面外フラップ板６Ｒの方に舌片状部を折り接触させる場合などは天面内フラップ７Ｒの対向する部分を上記のように凹部形成加工や打ち抜き加工を行っておくことが舌片状部の収容性向上の上でより好ましい。技術的には底面フラップ板にも舌片状部を形成することも同様に可能であるが、収容物が重量等ある場合には保持されるＩＣタグに悪影響がある可能性が高くなるので天面フラップに形成するほうがより好ましい。
【００３０】
尚、以上に説明したように舌片状部を打ち抜き形成するほうが貼り付けの手間等がかからず合理的ではあるが、舌片状部を別に形成したり、その際に舌片状部の基材の材質を包装材とは変えて形成したりする場合は、その舌片状部を打ち抜き形成する代わりに前述の図のように継ぎしろ板やフラップ板に接着したりすることができる。
【００３１】
本発明のＩＣタグ保持包装材においては、組み立て時の包装材１０本体の外形状は箱型又は角筒型に限定されず、円筒型、楕円筒型、三角型筒型、多角形筒型など種々の形状のものがある。また、包装材に使用する基材の種類等は特に限定されず、材質もダンボール紙、白板紙等、合成紙、プラスチック等特に限定しない。
【００３２】
ＩＣタグ
非接触方式で通信可能なＩＣチップを搭載したタグで、バッテリー付のものと、バッテリーなしのものとがある。最近は、バッテリーなしのものを非接触方式でＲ/Ｗ(リーダー／ライター)とＩＣタグ間で通信させて、物流の合理化・トレーサビリテイに役立てようという動向が出てきている。
【００３３】
ＩＣチップは、種々の機能を有するものがあり、最低限固有ＩＤが格納されているメモリー機能を持っている。メモリーの大小、ＣＰＵのありなし、セキュリテイ機能、アンチコリジョン機能（複数個のＩＣタグの読み取り時の衝突防止機能）などをそなえているものもある。
【００３４】
非接触方式では、ＩＣチップと起電力を生じさせるためのアンテナコイルが必要である。ＩＣタグは、主にＩＣチップとアンテナ部分よりなり、ＩＣタグは大きさが、５ｍｍ*２０ｍｍ程度またはそれ以上の大きさであるのが普通である。最近はＩＣチップの中にアンテナを形成したものもあり数ｍｍ角以下の大きさで実質的にＩＣタグとしての機能を有するＩＣチップもある。本発明ではこのようなＩＣチップも一種のＩＣタグとして利用でき、本発明に適用できると考えている。このようなＩＣチップは通信距離を確保する上でブースターアンテナなどが併用されることが多い。
【００３５】
ＩＣタグの寸法、形状はアンテナの構成や大きさによってかなり規制される。アンテナの寸法形状は主に使用する周波数と通信距離によってきまる。本発明に使用するＩＣタグは紙、プラスチック等の薄い基材の上にアンテナとＩＣチップが搭載されたような構成となるのが普通である。アンテナ、ＩＣチップの搭載面も場合によって強度、信頼性確保のため紙、プラスチック等の薄い基材で覆われることがに多い。
【００３６】
使用周波数としては大きく分けて、4つの周波数帯域がある。(1)中波帯の１２５ＫＨｚから１３５ＫＨｚ(2)短波帯の１３．５６ＭＨｚ(3)ＵＨＦ（極超短波）帯の８６５ＭＨｚから９６０ＭＨＨｚ(4)ＵＨＦの一領域であるが、所謂マイクロ波帯域と呼ばれる２．４５ＧＨｚ帯域である。
【００３７】
使用周波数によって、通信距離や通信方向（指向性）にそれぞれ特徴がある。このうち、(3)のＵＨＦ帯域は、各国とも携帯や放送で密度高く使用している領域であり、国情に応じ微妙にＩＣカード・ＩＣタグ用途としての使用帯域が違っている。欧州では、８６５から８６８ＭＨｚ、ＵＳＡでは９０２から９２８ＭＨｚ、日本では９５２から９５４ＭＨｚとなっている。また、他の利用の妨げとならないように、スプーリアス（漏れ電波/他の利用者にとってはノイズとも言える）が厳しく規制されている。
【産業上の利用可能性】
【００３８】
以上、ＩＣタグ保持用包装材を包装材としては通常は１回利用するダンボール箱に使用するような例を挙げて説明した。本発明のＩＣタグ保持用包装材やＩＣタグ保持包装材は基材の材質等によっては複数回利用することもできる。たとえば１０回使用したら、ＩＣタグのみ回収しリユースするようにすることもできる。またそのような使用回数をＩＣタグに記憶させておくことなどは非常に好適なＩＣタグの使用例となる。
【図面の簡単な説明】
【００３９】
【図１】本発明のＩＣタグ保持用包装材の一例の展開図。
【図２】図１の一部拡大図。
【図３】図１の一部拡大図。
【図４】本発明のＩＣタグ保持用包装材の別の一例の展開図。
【図５】図４の一部拡大図。
【符号の説明】
【００４０】
１，２，３，４                                    側面板
６Ｒ，７Ｒ，６Ｌ，７Ｌ，８Ｒ，９Ｒ，８Ｌ，９Ｌ    フラップ板
５                                                継ぎしろ板
５ａ，６ａ                                        舌片状部
１１                                              ＩＣタグ
【図１】
2007045442.tif 000003
【図２】
2007045442.tif 000004
【図３】
2007045442.tif 000005
【図４】
2007045442.tif 000006
【図５】
2007045442.tif 000007